(57)【要約】【課題】本発明は、上記の問題に鑑み、乾燥途中で風呂水の水切れ生じ難く、簡単な仕方で水切れを抑えることが実現できる洗濯乾燥機を提供することを目的とする。【解決手段】本発明は、洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプとを有する洗濯乾燥機において、前記風呂水ポンプは、ポンプランナーと前記ポンプランナーを内置するケーシングとを有し、前記外槽に給水する洗濯水給水運転では前記ポンプランナーを高速回転させ、前記除湿手段に給水する乾燥運転では前記ポンプランナーを低速回転させることを特徴とする。【選択図】図１
2007313214.tif 000002
【特許請求の範囲】
【請求項１】
洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプとを有する洗濯乾燥機において、
前記風呂水ポンプは、ポンプランナーと前記ポンプランナーを内置するケーシングとを有し、
前記外槽に給水する洗濯水給水運転では前記ポンプランナーを高速回転させ、前記除湿手段に給水する乾燥運転では前記ポンプランナーを低速回転させることを特徴とする洗濯乾燥機。
【請求項２】
洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプとを有する洗濯乾燥機において、
前記除湿手段に風呂水を供給する乾燥運転時には、前記風呂水ポンプにより供給される風呂水の有無を所定時間毎にチェックすることを特徴とする洗濯乾燥機。
【請求項３】
請求項２記載の洗濯乾燥機において、
前記外槽に溜まる洗濯水の水位を検知する水位検知手段を備え、
前記風呂水の有無に関するチェックは、前記水位検知手段の水位情報を基に判断することを特徴とする洗濯乾燥機。
【請求項４】
請求項３記載の洗濯乾燥機において、
前記外槽の底に連通する排水路を有し、
前記排水路に排水弁を設け、
前記風呂水の有無に関するチェックを行なう際には、排水弁を閉じることを特徴とする洗濯乾燥機。
【請求項５】
請求項３記載の洗濯乾燥機において、
前記排水弁の上流側の前記排水路に連通し、乾燥運転に際して乾燥用空気が流通する乾燥用空気流通路に乾燥用空気を送る循環ファンを備え、
前記風呂水の有無に関するチェックを行なう際には、前記循環ファンの風量を下げることを特徴とする洗濯乾燥機。
【請求項６】
洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプ、前記外槽または前記除湿手段に水道水を供給する水道用給水電磁弁とを有する洗濯乾燥機において、
前記風呂水ポンプの給水による乾燥運転が所定時間経過しても衣類が乾燥に至らないときは、前記除湿手段に水道水を供給すべく、水道用給水電磁弁を開放作動させることを特徴とする洗濯乾燥機。
【請求項７】
洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプ、前記外槽または前記除湿手段に水道水を供給する水道用給水電磁弁とを有する洗濯乾燥機において、
水温を検知する温度センターを備え、
乾燥運転時に、前記温度センターが検知する風呂水の温度が所定温度より高いときは、前記水道用給水電磁弁を開いて水道水を前記除湿手段に供給することを特徴とする洗濯乾燥機。
【発明の詳細な説明】
【技術分野】
【０００１】
本発明は、洗濯から乾燥まで通して行なえる洗濯乾燥機に関するものである。
【背景技術】
【０００２】
乾燥までできる洗濯乾燥機は、乾燥用の除湿手段として水冷式もの多く見られる。
【０００３】
このものでは、洗濯、脱水をして洗濯物を収容したままの槽内の空気をその除湿手段を通して循環させ、同時にその除湿手段を通された空気をヒータにより熱して温風化すると共に、除湿手段には除湿用の水を供給することにより、内槽内の洗濯物から湿気を奪って内槽内から出た温風を水冷方式にて除湿するものであり、比較的簡単な構成で、効率の良い除湿ができる利点を有している。
【０００４】
この種の洗濯乾燥機は、例えば、特開２００２−３５４９２公報（特許文献１）に記載されている。
【０００５】
【特許文献１】特開２００２−３５４９２号公報
【発明の開示】
【発明が解決しようとする課題】
【０００６】
上記特許文献１を含む従来の洗濯乾燥機は、洗濯水を汲み上げる風呂水ポンプを利用して除湿手段に冷却水を給水しているため給水量が多く、乾燥途中で風呂水の水切れ生じた。
【０００７】
本発明は、上記の問題に鑑み、乾燥途中で風呂水の水切れ生じ難く、簡単な仕方で水切れを抑えることが実現できる洗濯乾燥機を提供することを目的とする。
【課題を解決するための手段】
【０００８】
本発明は、洗濯物の洗い、脱水、および乾燥をする内槽と、前記内槽を内置し、洗濯水を溜める外槽と、前記洗濯物を乾かす乾燥用空気を送風する送風手段と、前記乾燥用空気を加熱する加熱手段と、前記乾燥用空気に含まれる水分を除湿して抜く除湿手段と、風呂水を吸い上げ、前記外槽または前記除湿手段に風呂水を供給する風呂水ポンプとを有する洗濯乾燥機において、前記風呂水ポンプは、ポンプランナーと前記ポンプランナーを内置するケーシングとを有し、前記外槽に給水する洗濯水給水運転では前記ポンプランナーを高速回転させ、前記除湿手段に給水する乾燥運転では前記ポンプランナーを低速回転させることを特徴とする。
【発明の効果】
【０００９】
本発明によれば、乾燥途中で風呂水の水切れ生じ難く、簡単な仕方で水切れを抑えることが実現できる洗濯乾燥機を提供する
【発明を実施するための最良の形態】
【００１０】
本発明の実施例について、図面を引用して説明する。
【００１１】
まず、図１を引用し、洗濯乾燥機の概要について説明する。
【００１２】
洗濯乾燥機の外枠１は、洗濯水を内置する外槽２を内置する。外槽２は外枠１に防振支持される。洗浄したり、乾燥したりされる洗濯物を収納する洗濯脱水槽(内槽)３は、外槽２内に回転自在に支持される。
【００１３】
洗濯物を撹拌して洗う撹拌翼４は、内槽３に回動自在に内置される。洗濯運転時、および乾燥運転時には、撹拌翼４は正転／逆転が繰り返される。脱水運転時には、撹拌翼４は内槽３と一緒に高速回転し、内槽３内の洗濯物に含まれる水分が脱水される。
【００１４】
洗濯乾燥用駆動モータ１０は、撹拌翼４、および内槽３の回転駆動を行なう。洗濯乾燥用駆動モータ１０は、ＤＣブラシレスモータを使用する。
【００１５】
外蓋５は外枠１の上部に備わるトップカバー６に開閉自在に設けられ、外蓋５を開いて内槽３内に洗濯物の出し入れを行なう。
【００１６】
トップカバー６は、前側に給水ボックス７を有する。給水ボックス７は、水道水、風呂水、洗剤、ソフナー等を外槽２に供給する。給水ボックス７の落し口は、外槽２と内槽３の間に向けられている。
【００１７】
給水切替ユニット（図示せず）はトップカバー６の後部に設けられる。給水切替ユニットに連通し、水道ホースが接続される水道ホース接続口８は、トップカバー６の上部に突出するように設けられる。風呂水を吸い上げる風呂水ポンプ（図示せず）もトップカバー６の後部に内置される。
【００１８】
乾燥機構９は、内槽３内の洗濯物を乾かす乾燥用空気の循環送風や除湿を行なう。
【００１９】
この乾燥機構９は大部分が乾燥用空気循環路で占められる。
【００２０】
乾燥用空気循環路は、外槽２の底部に連通するように接続される底部循環路２０、底部循環路２０から上る除湿循環路２１、除湿循環路２１から下る降下循環路２２、降下循環路２２から再び上る上昇循環路２３、上昇循環路２３から横に這う戻り循環路２４、戻り循環路２４から外槽２の上部に連通するように接続される戻り接続循環路２５を有する。
【００２１】
底部循環路２０は、蛇腹ホース２６を有する。戻り接続循環路２５も蛇腹ホース２７を有する。除湿循環路２１は水冷除湿部材２８（除湿手段）を内置する。水冷除湿部材２８は除湿循環路２１内を縦に延びるように存在する。
【００２２】
この水冷除湿部材２８に供給する風呂水や水道水で除湿循環路２１を上昇する乾燥用空気が冷却し、乾燥用空気中に含まれる水分を奪取する。
【００２３】
循環ファン２９（送風手段）は、降下循環路２２、上昇循環路２３がつながる下部に設けられる。この循環ファン２９の送風により、乾燥用空気循環路を通じて乾燥用空気が内槽３内を流通し、内槽３内の洗濯物を乾かす。
【００２４】
ヒータ４０（加熱手段）は、戻り循環路２４に設けられる。水冷除湿部材２８で水分の抜けた乾燥用空気は、ヒータ４０で再加熱されて内槽３を流れるので、洗濯物の水分を除去する。この水分除去が乾燥用空気の循環で繰り替えされることにより、洗濯物は良く乾燥されるようになる。
【００２５】
底部循環路２０の底は、下部連通管４１を介して洗濯水排水路４２と洗濯水循環水路４３に連通する。洗濯水排水路４２には、排水バルブ４４が設けられる。洗濯運転時や乾燥運転時には、この排水バルブ４４は閉じて置く。洗濯水を排水する排水時や乾燥運転時には、排水バルブ４４を開いて洗濯乾燥機の外部に排水する。
【００２６】
洗濯水循環水縦水路４６は、内槽３の上側まで延び、洗濯水循環水路４３に循環ポンプ４５を介して接続される。
【００２７】
外槽２に溜まる洗濯水や濯ぎ水は、循環ポンプ４５で吸い上げられ、洗濯水循環水縦水路４６の上側の排出口から内槽3に注がれる。この循環ポンプ４５による注水が続く下で、洗濯や濯ぎが行なわれるので、少ない水量で良く洗濯が行なわれる。
【００２８】
水位センサー４７は、外槽２に溜まる洗濯水や濯ぎ水の水位を検知する。
【００２９】
底部循環路２０の側部に連通するエアートラップ４８が設けられ、このエアートラップ４８と水位センサー４７がエアーチューブ４９で連通するようにつながる。外槽２内の水位変動を水位センサー４７が感じて水位検知が行なわれる。
【００３０】
次に本発明の主要部になる洗濯水の注水、冷却水の注水に関し、関連するところも含めれ説明する。
【００３１】
まず、給水切替ユニット６０、風呂水ポンプ５００について、図２〜図１０を引用して説明する。
【００３２】
図２〜図３では、給水切替ユニット６０、風呂水ポンプ５００が一つのユニットになっているように描かれているが、別々のユニットになっている。
【００３３】
前述した洗濯乾燥機のトップカバー６には、給水切替ユニット６０、風呂水ポンプ５００が個々に取り付けられる。
【００３４】
ただし、一つのユニットにすることも可能である。この場合は、トップカバー６に組み込む前に給水切替ユニット６０、風呂水ポンプ５００が一つに纏められる。
【００３５】
さて、給水切替ユニット６０は、図５〜図７に示すように、水道水の給水電磁弁（給水バルブ）６１と、供給水切替装置６２と、給水切替ユニット支持基盤６３を有する。
【００３６】
給水電磁弁（給水バルブ）６１は、図４〜図７に示すように、第１水道水用給水電磁弁６１ａ、第２水道水用給水電磁弁６１ｂ、洗剤溶解用給水電磁弁６１ｃ、ソフナー用給水電磁弁６１ｄを有する。
【００３７】
この４つの給水電磁弁はユニットされ、前述した水道ホース接続口８を備えている。この水道ホース接続口８から４つの給水電磁弁に分岐される。それぞれの給水電磁弁には、吐出口６１１ａ（第１水道水用）、６１１ｂ（第２水道水用）、６１１ｃ（洗剤溶解用）、６１１ｄ（ソフナー用）が設けられる。
【００３８】
また、それぞれの給水電磁弁には、電気が供給されるコネクタ６１２ａ、６１２ｂ、６１２ｃ、６１２ｄが設けられる。
【００３９】
供給水切替装置６２は、図５〜図９に示すように、水や塵埃を避けるカバー６４を有する。
【００４０】
供給水切替装置６２は、フレーム６５と、駆動モータ６７と、カム機構６８と、操作棒６９と、操作棒支持台８０と、操作棒６９の先端に設けられた弁体８１を有する。弁体８１は、後述する弁座と対になって切替バルブを構成する。
【００４１】
操作棒支持台８０には、弁体８１を前方に押圧する押圧付勢バネ８２と、支持台８０内に水の浸入を防ぐゴムのベローズ８３が備わる。
【００４２】
フレーム６５は、支持ボス８４、８５を有する。
【００４３】
駆動モータ６７の駆動により、カム機構６８は操作棒６９を前後に往復移動させる。この操作棒６９の往復作動で、切替バルブの切替（開け閉め）が行なわれる。
【００４４】
給水切替ユニット支持基盤６３は、図６〜図１２に示すように、給水電磁弁６１に対応する支持基盤片８６と、供給水切替装置に対応する支持基盤片８７とを有する。両支持基盤片が抱き合さって給水切替ユニット支持基盤６３は作られる。両支持基盤片の接合面はシールされる。
【００４５】
支持基盤片８６には、図１２に示すように、給水電磁弁６１の吐出口が嵌め込まれる三つの嵌め込み穴が設けられる。第１水道水用の嵌め込み穴６１３ａ、第２水道水用の嵌め込み穴６１３ｂ、ソフナー用の嵌め込み穴６１３ｄの三つである。
【００４６】
給水電磁弁６１は、給水切替ユニット支持基盤６３の支持基盤片８６に取り付けられる。第１水道水用の嵌め込み穴６１３ａ、第２水道水用の嵌め込み穴６１３ｂ、ソフナー用の嵌め込み穴６１３ｄに、吐出口６１１ａ（第１水道水用）、６１１ｂ（第２水道水用）、６１１ｃ（洗剤溶解用）、６１１ｄ（ソフナー用）の夫々が嵌め込み接続される。
【００４７】
支持基盤片８６は、風呂水流入接続口８８、風呂冷却水用流出接続口８９、洗浄水用流出接続口１００、冷却水用流出接続口１０１を有する。
【００４８】
支持基盤片８７には、図１１に示すように、供給水切替装置６２の弁体８１が脱着する凹みの弁座１０２が設けられる。この弁座１０２が前述した弁体８１と対になって切替バルブが構成される。
【００４９】
支持基盤片８７は、受けボス１０３、１０４を有する。この受けボス１０３、１０４に前述したフレーム６５の支持ボス８４、８５を突き合わせ、フレーム６５側から支持基盤片８７にネジで締め付ける。これにより、供給水切替装置６２は、給水切替ユニット支持基盤６３に取り付け固定される。
【００５０】
供給水切替装置６２の操作棒支持台８０は、周縁に三つのネジ通しボス１０５を有する。給水切替ユニット支持基盤６３は、弁座１０２の外側周縁に三つのネジ穴１０６を有する。ネジ通しボス１０５に差し込んだネジ１０７をネジ穴１０６にネジ込むことにより、操作棒支持台８０は支持基盤片８７に締め付けられる。
【００５１】
前述したベローズ８３の外周側は、操作棒支持台８０と支持基盤片８７との間に挟まるので、弁座１０２の外側周縁のシールが良く行なわれる。
【００５２】
弁座１０２には、弁体８１が脱着する。この脱着は、供給水切替装置６２に設けられた操作棒６９が前後に往復移動することにより行なわれる。この操作棒６９の往復作動で弁座１０２と弁体８１が対となって構成した切替バルブを切替作動させる。
【００５３】
このように供給水切替装置６２と給水電磁弁６１が一つの給水切替ユニットとしてまとまったので、洗濯乾燥機のトップカバー６に組み込む作業が一度で済むので容易である。トップカバー６は、種々の部品が置かれてスペースが狭いのでユニットすることで、組み込みが殊のほかし易いのである。
【００５４】
給水切替ユニットは、給水切替ユニット支持基盤６３に取り付けてユニット化する供給水切替装置６２と給水電磁弁６１を直に合わせてユニット化するものに比べ、ユニット化が容易である。
【００５５】
また、給水切替ユニット支持基盤６３を挟むように供給水切替装置６２と給水電磁弁６１を両面に振り分けて配置したので、同じ面に隣り合わせに配置するものに比べ、部品同士のかち合いがなく、配置が容易である。
【００５６】
弁座１０２は、図１１に示すように中央に中央連通穴１０８、外周側に外周連通穴１０９を有する。中央連通穴１０８、外周連通穴１０９については、後で更に説明する。
【００５７】
支持基盤片８７は、洗濯水流出接続口１２０と、風呂冷却水用流入接続口１２１、ソフナー用水道水流出接続口１２２を有する。
【００５８】
給水切替ユニット支持基盤６３は、図１３に示されるように、仕切壁で仕切られた複数の水路室を有する。第１水路室１２３、第２水路室１２４、風呂水水路室１３０、ソフナー水路室１２５が給水切替ユニット支持基盤６３内に仕切られて存在する。
【００５９】
ソフナー水路室１２５には、ソフナー用の嵌め込み穴６１３ｄとソフナー用水道水流出接続口１２２が配置される。ソフナー用の嵌め込み穴６１３ｄとソフナー用水道水流出接続口１２２は、ソフナー水路室１２５を介して連通する。
【００６０】
水抜き連通小穴１２６は、ソフナー水路室１２５と第２水路室１２４の仕切壁に設けられる。給水切替ユニット支持基盤６３は、ソフナー水路室１２５が第２水路室１２４の上に来るように置かれるので、ソフナー水路室１２５内の水は、水抜き連通小穴１２６を通じて残らず第２水路室１２４に流出する。
【００６１】
第２水路室１２４には、第２水道水用の嵌め込み穴６１３ｂと冷却水用流出接続口１０１と風呂冷却水用流入接続口１２１が配置される。第２水道水用の嵌め込み穴６１３ｂと冷却水用流出接続口１０１と風呂冷却水用流入接続口１２１は、第２水路室１２４を介して連通する。
【００６２】
風呂水水路室１３０には、風呂水流入接続口８８と風呂冷却水用流出接続口８９と弁座１０２の中央連通穴１０８が配置される。風呂水流入接続口８８と風呂冷却水用流出接続口８９は、風呂水水路室１３０を介して連通する。また、中央連通穴１０８を通じて弁座１０２の内側と風呂水水路室１３０が連通する。
【００６３】
第１水路室１２３には、第１水道水用の嵌め込み穴６１３ａと洗浄水用流出接続口１００と洗濯水流出接続口１２０と弁座１０２の外周連通穴１０９が配置される。第１水道水用の嵌め込み穴６１３ａと洗浄水用流出接続口１００と洗濯水流出接続口１２０は、第１水路室１２３を介して連通する。また、外周連通穴１０９を通じて弁座１０２の内側と第１水路室１２３が連通する。
【００６４】
前述したように、弁座１０２には、供給水切替装置６２の弁体８１が脱着する。弁体８１が弁座１０２に着座したときは、中央連通穴１０８も外周連通穴１０９も弁座１０２の内側との連通が断たれる（非連通になる）。
【００６５】
逆に、弁体８１が弁座１０２から離間したときは、中央連通穴１０８、外周連通穴１０９、弁座１０２の内側を介して第１水路室１２３と風呂水水路室１３０は連通する。この弁体８１と弁座１０２が構成する切替バルブが、中央連通穴１０８、および外周連通穴１０９の連通と非連通により切り替わる。
【００６６】
この供給水切替装置６２の切り替え作動による切替バルブの切替（弁体８１の弁座１０２への着脱）により、第１水路室１２３と風呂水水路室１３０との連通が断たれたり、通じたりする。
【００６７】
風呂水ポンプ５００は、図２〜図３、図１０に示されるように、駆動モータ５０１を内置するモータケース５０２とポンプランナー５０３を内置するポンプケーシング５０４と、ポンプランナー５０３と駆動モータ５０１との間に設けられた軸継手５０５を有する。
【００６８】
さらに風呂水ポンプ５００は、軸継手５０５を外側から囲うメカニカルシール５０６と、風呂吸水ホースが接続される吸水ホース接続口５０７と、吸水ホース接続口５０７からポンプランナー５０３の吸込口に至る途中に設けた逆止弁５０８と、気水分離室５０９を有する。
【００６９】
これに加え、吸い上げた風呂水をポンプケーシング５０４より吐出する口径の大きい吐出口５１０と、ポンプケーシング５０４内の空気を吐出するところの大きい吐出口５１０よりは口径の小さい吐出口５１１が設けられる。小さい吐出口５１１は、ポンプケーシング５０４内の空気が抜けると吸い上げた風呂水を吐出する。
【００７０】
ポンプケーシング５０４、気水分離室５０９、大きい吐出口５１０、小さい吐出口５１１は、連通している。大きい吐出口５１０、小さい吐出口５１１は、気水分離室５０９の上部か、それよりも高い位置に設けられる。
【００７１】
各種の連通パイプの接続について、図２〜図１３を引用して説明する。
【００７２】
風呂水ポンプ５００の大きい吐出口５１０には、風呂水吐出パイプ５２０の一端が接続される。風呂水吐出パイプ５２０の他端は、給水切替ユニット支持基盤６３の風呂水流入接続口８８に接続される。
【００７３】
冷却水供給路に含まれる第１風呂冷却水送りパイプ５２１は、一端が給水切替ユニット支持基盤６３の風呂冷却水用流出接続口８９に接続される。第１風呂冷却水送りパイプ５２１の他端はＴ字形継手管５２２の第１流入端側に接続される。
【００７４】
第２風呂冷却水送りパイプ５２３は、一端が風呂水ポンプ５００の小さい吐出口５１１に接続される。第２風呂冷却水送りパイプ５２３の他端はＴ字形継手管５２２の第２流入端側に接続される。
【００７５】
第３風呂冷却水送りパイプ５２４の一端はＴ字形継手管５２２の流出端側に接続される。第３風呂冷却水送りパイプ５２４の他端は給水切替ユニット支持基盤６３の風呂冷却水用流入接続口１２１に接続される。
【００７６】
洗濯水供給路に含まれる洗濯水注水パイプ５２５は一端が洗濯水流出接続口１２０に接続され、他端側より外槽２に洗濯水や濯ぎ水を注水する。
【００７７】
洗浄水供給通路に含まれる洗浄水注水パイプ５２６は一端が洗浄水用流出接続口１００に接続され、他端側より水冷除湿部材２８に注水される。洗浄水の注水により、水冷除湿部材２８に付着する糸くず等は洗浄される。
【００７８】
冷却水注水パイプ５２７は一端が冷却水用流出接続口１０１に接続され、他端側より水冷除湿部材２８に除湿用冷却水が注がれる。
【００７９】
ソフナー注水パイプ５２８は一端がソフナー用水道水流出接続口１２２に接続され、他端側より給水ボックス７等のソフナー供給部に注水される。
【００８０】
洗剤溶解注水パイプ５２９は一端が給水電磁弁の吐出口６１１ｃ（洗剤溶解用）に接続され、他端側より給水ボックス７等の洗剤溶解部に注水される。
【００８１】
上述した各種パイプの接続は、給水切替ユニットを洗濯乾燥機のトップカバー６に取り付ける前にできるものは接続を済ませておくのが無難である。種々の部品が置かれてスペースが狭いトップカバー６内での接続作業はできるだけ少ない方が良いのである。
【００８２】
上述したように給水切替ユニットの給水切替ユニット支持基盤６３は、給水電磁弁（給水バルブ）６１と供給水切替装置６２の支持基盤である。これに加え、給水切替ユニット支持基盤６３自体に各種の水路室を備えて、複数の給水電磁弁（給水バルブ）６１と風呂水ポンプ５００と各種注水箇所と各種パイプの接続連通を担っている。
【００８３】
給水切替ユニット支持基盤６３に各種の水路室を設けないで、配管だけで給水電磁弁（給水バルブ）６１と風呂水ポンプ５００と各種注水箇所の接続連通をすると、極めて複雑な配管になる。スペースが狭いトップカバー６内での配管接続作業は、極めて難しい作業になる。
【００８４】
給水切替ユニット支持基盤６３自体に各種の水路室を備えることで、上記の問題を一挙に解決できるのである。
【００８５】
また、給水切替ユニット支持基盤６３に供給水切替装置６２の弁座１０２を設けることで、構成部品を少なくすることができる。これに加え、弁座を給水切替ユニット支持基盤６３に設けない場合に必要とする配管が不要になる良さもある。
【００８６】
第１水路室１２３と風呂水水路室１３０との関係および関連について、図１４を引用して更に説明を加える。
【００８７】
図１４は、第１水路室１２３と、風呂水水路室１３０と、水道水の給水電磁弁（給水バルブ）６１と、供給水切替装置６２の切替バルブと、風呂水ポンプ５００と、Ｔ字形継手管５２２との関係を略式的に示した図である。
【００８８】
風呂水ポンプ５００には、運転に先立ち、呼び水が給水される。
【００８９】
第１水道水用給水電磁弁６１ａが開かれ、水道水が第１水路室１２３に供給される。既に切替バルブが開かれているので、第１水路室１２３より水道水が風呂水水路室１３０に流入し、風呂水吐出パイプ５２０を経由してポンプケーシング５０４に溜まる。
【００９０】
溜まる水道水が増すにつれてポンプケーシング５０４の空気が小さい吐出口５１１、第２風呂冷却水送りパイプ５２３、Ｔ字形継手管５２２、第３風呂冷却水送りパイプ５２４を経由して大気中に抜け、ポンプケーシング５０４内が水道水で満たされる。
【００９１】
風呂水水路室１３０の空気も水道水が満たされるにともない、第２風呂冷却水送りパイプ５２３、Ｔ字形継手管５２２、第３風呂冷却水送りパイプ５２４を経由して最終的には大気中に抜け、呼び水の給水が終了する。
【００９２】
こうした呼び水の供給は、小さい吐出口５１１より径の大きな吐出口５１０より主として行なわれるので、呼び水の給水が速く行なわれる。
【００９３】
風呂水ポンプ５００が運転する際には、第１水道水用給水電磁弁６１ａは閉じられている。洗濯運転では、風呂水ポンプ５００で吸い上げた風呂水を外槽２に溜めるので切替バルブは開かれている。
【００９４】
吸上げられた風呂水は、風呂水吐出パイプ５２０、風呂水水路室１３０、切替バルブ、第１水路室１２３、洗濯水流出接続口１２０を経由して外槽２に注がれる。吸上げられた風呂水の一部は、小さい吐出口５１１、第２風呂冷却水送りパイプ５２３、Ｔ字形継手管５２２、第３風呂冷却水送りパイプ５２４を経由して水冷除湿部材２８に注がれ、最終的には外槽２に溜まる。
【００９５】
洗濯運転では、風呂水ポンプ５００で吸い上げた風呂水を水冷除湿部材２８に注ぐので切替バルブは閉じられている。
【００９６】
Ｔ字形継手管５２２の流出端側に設けた流出穴は、小さく口径が絞られた直径が２ｍｍの穴である。Ｔ字形継手管５２２内の流路径も第３風呂冷却水送りパイプ５２４の内径も７ｍｍ程度である。
【００９７】
また、給水切替ユニット支持基盤６３の風呂冷却水用流入接続口１２１に設けられた流入穴も小さく口径が絞られた直径が２ｍｍの小穴になっている。
【００９８】
風呂水ポンプ５００からＴ字形継手管５２２、第３風呂冷却水送りパイプ５２４を経由して冷却水注水パイプ５２７に至る風呂水の冷却水供給路には口径が小さく絞られて小穴が複数設けられている。
【００９９】
小さく口径が絞られた複数の小穴により、風呂水ポンプ５００の吐出圧が変動しても平滑化され水冷除湿部材２８に注ぐ除湿用冷却水の水量を均一に近づけることができる。このため、乾燥時の除湿が安定化する。
【０１００】
制御回路について、図１９を引用して説明する。
【０１０１】
この図は制御回路の全体を示したブロック図である。
【０１０２】
図１９に示すように、洗い、すすぎ、脱水、乾燥に至るまでの工程を制御するマイコン４００はタイマー４０１と中央処理装置（ＣＰＵ）４０２、メモリ４０３、入力ポート４０４、出力ポート４０５などを有する。中央修理装置４０２は、演算部４０２ａ、制御部４０２ｂなどを有する。
【０１０３】
洗濯機の運転動作は、マイコン４００の中にある中央修理装置４０２とタイマー４０１およびメモリ４０３によりデータのやりとりをして設定された条件をもとに駆動されて行なわれる。
【０１０４】
中央修理装置４０２は、基本的には制御命令の取り出しと解読、実行指令であるが、具体的には算術演算やメモリ指定アドレス内容の読み出しで制御、入出力装置への指定アドレスの入出力や全自動コースやアニュマル設定のプログラムの制御を行う。
【０１０５】
メモリ４０３には、プログラムデータを読み出して書き込みを行う機能を持つＲＡＭ４０３ａと読み出し専用機能だけを持つＲＯＭ４０３ｂの２種類を備えており、ＲＡＭ４０３ａは洗濯運転条件に必要なデータを主に記憶して、設定されたプログラムを組む上での作業エリアとして用いる。
【０１０６】
ＲＯＭ４０３ｂは、決ったプログラムや固定データを入れ、いつでも同じ処理をする場合に使用する。入力ポート４０４と出力ポート４０５は、中央修理装置４０２と入力回路部４０６と出力駆動回路部４０７との間でデータの受け渡しを行う場合の仲介をする回路である。
【０１０７】
出力駆動回路部４０７には、洗濯機に組込まれている、各種センサーや電源スイッチ４０８などが接続され、各種の情報が取り込まれる。電源スイッチ４０９から洗濯機を運転するのに必要な電力が供給される。
【０１０８】
電源スイッチ４０９を押すことにより、給水電磁弁６が開放されて洗濯機内に洗濯やすすぎに必要な水が供給される。
【０１０９】
洗濯やすすぎに必要な、水の量は洗濯機に組み込まれた水位センサー４７からの情報を受けて、中央修理装置４０２で情報の処理を行い、適正な水量かを判断して、適正であれば洗濯運転が進行する。
【０１１０】
また、乾燥運転時にも水位センサー４７による検知が行なわれる。乾燥運転時の水位検知については後で説明する。
【０１１１】
洗濯や脱水、すすぎ、乾燥などで回転させられるＤＣブラシレスモータの洗濯乾燥用駆動モータ１０は回転数が洗濯乾燥用駆動モータ１０の近傍に設けられたＩＣホール素子４２０で検知される。ＩＣホール素子４２０の検知情報は中央処理装置７２で演算処理され、洗濯乾燥用駆動モータ１０の適正な回転制御が行なわれる。
【０１１２】
その他、入力回路部４０６側には蓋の開閉状態を検知する蓋開閉センサー４２１や、全自動コースを設定する全自動コース選択キー４２２、洗濯物の量を検知する布量センサー４２３などが設けられている。また、乾燥用空気の温度を検知する温度センサー４２４などが設けられている。
【０１１３】
出力駆動回路部４０７には、風呂水ポンプ５００、循環ファン２９、洗濯乾燥用駆動モータ１０、供給水切替装置６２、排水バルブ４４、第１水道水用給水電磁弁６１ａ、第２水道水用給水電磁弁６１ｂ、洗剤溶解用給水電磁弁６１ｃ、ソフナー用給水電磁弁６１ｄ、ヒータ４０、循環ポンプ４５などが設けられている。
【０１１４】
これらの入力回路部４０６・出力駆動回路部４０７を介してマイコン７０側と情報のやり取りをしながら洗濯乾燥機は、洗い、すすぎ、脱水、乾燥に至る作業が自動的に行なわれる。
【０１１５】
洗濯運転の給水動作、乾燥運転の給水動作について、図１５〜図１８を引用して説明する。
【０１１６】
これらの図も動作を分かり易く説明するために略式的に示されている。
【０１１７】
まず、洗濯運転の給水について、図１５、図１６を引用して説明する。
【０１１８】
図１５、図１６は、洗濯運転時の給水における給水切替ユニットと風呂水ポンプとの関連動作を示している。
【０１１９】
図１５を引用して洗濯運転の水道水の給水について説明する。
【０１２０】
供給水切替装置６２の切替バルブを開き、第１水道水用給水電磁弁６１ａを開けると、水道水は、第１水路室１２３、洗濯水注水パイプ５２５を流れ、外槽２に注がれる。排水バルブ４４が閉じられているので、水道水は外槽２に溜まる。
【０１２１】
水道水の一部は、開かれた切替バルブを通過して風呂水ポンプ５００内を抜け、第３風呂冷却水送りパイプ５２４等を経由して第２水路室１２４に流入する。
【０１２２】
この際に前述したように、Ｔ字形継手管５２２の流出端側と風呂冷却水用流入接続口１２１に設けられた口径が小さく絞られて小穴（直径２ｍｍ）内が、水道水で洗われる。このため、口径が小さく絞られた小穴に付着する風呂水の垢等による穴詰まりが未然に解消される。
【０１２３】
また、第１水路室１２３で分流して洗浄水注水パイプ５２６より水冷除湿部材２８に水道水が注がれる。その水道水で水冷除湿部材２８に付着する糸くず等が洗浄される。
【０１２４】
図１６を引用して洗濯運転の風呂水の給水について説明する。
【０１２５】
風呂水ポンプ５００の運転に先立ち、呼び水が行なわれる。呼び水の動作は前述したので、ここでは省く。供給水切替装置６２の切替バルブは開かれている。
【０１２６】
吸い上げられて風呂水水路室１３０に流入した風呂水は、開かれた切替バルブを通過して第１水路室１２３に移り、洗濯水注水パイプ５２５を流れて外槽２に注がれる。
【０１２７】
風呂水の一部は、Ｔ字形継手管５２２、第３風呂冷却水送りパイプ５２４、第２水路室１２４経由して冷却水注水パイプ５２７に流行く。風呂水が吸い上げられているときは、前述した口径が小さく絞られて小穴に風呂水が滞留する流通するので、水垢が付き難く、穴詰まりの解消になる。
【０１２８】
また、第１水路室１２３で分流して洗浄水注水パイプ５２６より水冷除湿部材２８に風呂水が注がれる。その風呂水で水冷除湿部材２８に付着する糸くず等が洗浄される。
【０１２９】
こうした洗濯運転での風呂水ポンプ５００の給水は、毎分１３Ｌ程度で、水道水による給水と変わらない。風呂水ポンプ５００の回転速度は７０００ＲＰＭ程度である。
【０１３０】
乾燥運転の給水について、図１７、図１８を引用して説明する。
【０１３１】
図１７、図１８は、乾燥運転時の給水における給水切替ユニットと風呂水ポンプとの関連動作を示している。
【０１３２】
図１７を引用して乾燥運転時の水道水の給水について説明する。
【０１３３】
第２水道水用給水電磁弁６１ｂが開かられて水道水は、第２水路室１２４に流入する。第２水路室１２４に設けられた直径が３．５ｍｍの流出穴を有する冷却水用流出接続口１０１、冷却水注水パイプ５２７を流れて水道水の冷却水は、水冷除湿部材２８に注がれる。
【０１３４】
水冷除湿部材２８に注ぐ冷却水の量は、毎分０．３〜０．５L程度である。この冷却水の水冷除湿部材２８への注水により、除湿循環路２１内を流れる乾燥用空気中に含まれる水分が奪取される。
【０１３５】
供給水切替装置６２の切替バルブは、第２水道水用給水電磁弁６１ｂが開かれているときは一緒に開かれている。第２水路室１２４に流入して水道水の一部は、第３風呂冷却水送りパイプ５２４、Ｔ字形継手管５２２等を経由して風呂水ポンプ５００に流れる。
【０１３６】
風呂水ポンプ５００から流れ出た水道水は、開かれている切替バルブを通過して第１水路室１２３に移り、洗濯水注水パイプ５２５や洗浄水注水パイプ５２６を流れて外槽２に注がれる。
【０１３７】
この第２水路室１２４から風呂水ポンプ５００に向かって流れる水道水で、風呂冷却水用流入接続口１２１とＴ字形継手管５２２の流出端側と設けられた小穴（直径２ｍｍ）内が洗われる。
【０１３８】
このため、小穴に付着する風呂水の垢等が除去され、穴詰まりが未然に解消される。また、第３風呂冷却水送りパイプ５２４、Ｔ字形継手管５２２等の内部も良く洗われる。
【０１３９】
図１８を引用して乾燥運転時の風呂水の給水について説明する。
【０１４０】
供給水切替装置６２の切替バルブを閉じて風呂水ポンプ５００の運転が行なわれる。
【０１４１】
風呂水ポンプ５００で吸い上げられた風呂水は、切替バルブが閉じられているので、風呂水水路室１３０、Ｔ字形継手管５２２、第３風呂冷却水送りパイプ５２４等を経由して第２水路室１２４に流入する。
【０１４２】
第２水路室１２４から冷却水注水パイプ５２７を流れて風呂水の冷却水は、水冷除湿部材２８に注がれる。風呂水の冷却水量は、毎分０．３〜０．５L程度で足りるので、風呂水ポンプ５００の回転速度は５０００ＲＰＭ程度に抑えられる。
【０１４３】
風呂水ポンプ５００の回転数を下げて除湿に適正な少ない水量に抑えることができるので、長い乾燥運転中に生じる風呂水の水切れ解消の助けになる。また、風呂水ポンプ５００の回転数を下げる運転制御により、水量を抑えることができる。特別な流量制限装置を設ける必要が無く、極めて簡単で安価に水量制限を実現できる。
【０１４４】
風呂冷却水用流入接続口１２１やＴ字形継手管５２２に設けられた小穴（直径２ｍｍ）により、風呂水の流れが抑制されるので、もともと１３Lを吸い上げる能力の風呂水ポンプ５００を使用するのにもかかわれず、毎分０．３〜０．５L程度の少ない水量に制限できる。
【０１４５】
このように、風呂水ポンプ５００を使って、乾燥運転時に風呂水を冷却水に使うようにしたので、水道水の節水になる。
【０１４６】
また、供給水切替装置６２の切替バルブを備えて、洗濯水を給水する第１水道水用給水電磁弁６１ａ側と風呂水ポンプ５００側とを連通したり、連通を断ったりするような構成にしたので、構成が簡単になった。
【０１４７】
すなわち、供給水切替装置６２の切替バルブを開いて洗濯水を給水する第１水道水用給水電磁弁６１ａと風呂水ポンプ５００と連通させることにより、風呂水ポンプ５００に呼び水ができる。供給水切替装置６２を設けないと、呼び水用の水道水用給水電磁弁を必要とする。
【０１４８】
本実施例は、供給水切替装置６２を設けることで、呼び水用の水道水用給水電磁弁が不要になり、構成が簡単になる。
【０１４９】
また、供給水切替装置６２は、第１水道水用給水電磁弁６１ａによる洗濯水の給水と、風呂水ポンプ５００による洗濯水の給水と、風呂水ポンプ５００による乾燥運転時の冷却水の給水をも担うので、構成が簡単になる。
【０１５０】
乾燥運転について、図２０を引用して説明する。
【０１５１】
この図２０は、乾燥運転に際して作動する風呂水ポンプ、排水バルブ、循環ファン、第２水道水用給水電磁弁の動作を時間の経過上で示した。
【０１５２】
乾燥工程が開始すると、排水バルブ４４が閉じ、循環ファン２９が運転開始する。数秒後に風呂水ポンプ５００が運転を開始する。風呂水ポンプ５００が運転開始する前の数秒
間に第１水道水用給水電磁弁６１ａが開いて呼び水が供給される。
【０１５３】
風呂水ポンプ５００の運転は、５０００ＲＰＭの低速回転で継続して行なわれる。乾燥工程開始より３０分経過後に排水バルブ４４が所定時間の間だけ閉じられる。この間に水位センサー４７により、冷却水の有無がチェックされる。
【０１５４】
すなわち、排水バルブ４４が閉じられると、風呂水ポンプ５００が吸い上げた風呂水の冷却水が、図１に示すように、外槽２の底部になる底部循環路２０に溜まる水溜５０ができ、水位センサー４７に検知される。
【０１５５】
風呂の水が無くなると、底部循環路２０に水が溜まらない。水位センサー４７の検知により、冷却水に使う風呂水の有無を知ることができる。この冷却水の有無のチェックは、洗濯物が乾燥するまで行なわれる。
【０１５６】
風呂水の水切れが検知されると、第１水道水用給水電磁弁６１が開放作動して水道水の冷却水に切り替えられ、乾燥は継続して行なわれる。未乾燥のまま乾燥運転が途中で停止する不都合は生じない。
【０１５７】
水位センサー４７の検知は、排水バルブ４４の閉成後１２０秒経過してから行なわれる。１２０秒の経過時間は、水位センサー４７が検知できる水位になる目安時間である。
【０１５８】
水位検知から最長５分間経過しても、水位センサー４７が所定水位を検知できないときは、水道水の冷却水に切り替えられる。水位センサー４７が所定水位を検知すると、直ちに排水バルブ４４が開かれ、風呂水を冷却水とする乾燥運転が継続する。
【０１５９】
循環ファン２９は、水位センサー４７が検知を行なっている時間は風量を下げて運転する。排水バルブ４４が閉じられて１２０秒経過後に循環ファン２９は、回転数を４７５０ＲＰＭ〜２５００ＲＰＭに下げ、風量を抑えた運転モードに移行させる。
【０１６０】
この運転モードは、底部循環路２０より発生する風音を抑えるためである。図１に示すように、排水バルブ４４の閉じで底部循環路２０に冷却水が溜まる。乾燥用空気は、底部循環路２０の天井と溜った水面との間に狭まる狭い通路を流通する。
【０１６１】
水面を流れる乾燥用空気で波立ち、風音が発生する。乾燥用空気の風量をさげることにより、風音の発生を抑えることができる。
【０１６２】
風呂水ポンプ５００が運転開始後、１５０分経過しても乾燥を継続するときは、冷却水を水道水に切り替えた乾燥運転にする。
【０１６３】
この切り替えにより、過度な連続運転による風呂水ポンプの磨耗を抑えることができる。
【０１６４】
また、風呂水の温度が高すぎるときは、乾燥用空気の凝縮が良くない。１５０分経過しても乾燥が終わらない。
【０１６５】
風呂水の冷却水供給路に水温を検知する温度センサーを備え、乾燥運転時に温度センサーが検知する温度が所定の温度より高いときは、第２水道水用給水電磁弁６１ｂを開いて水道水を冷却水として使用する。
【０１６６】
また、温度が高い風呂水に水道水を加えた冷却水を使用することも可能である。水道水を加えるときは、第２水道水用給水電磁弁６１ｂを連続開放すると、水道水が無駄になる。第２水道水用給水電磁弁６１ｂを断続的に開放させることが節水面で望ましい。
【図面の簡単な説明】
【０１６７】
【図１】本発明の実施例に係わるもので、洗濯乾燥機の概要を示す図である。
【図２】本発明の実施例に係わるもので、給水切替ユニットと風呂水ポンプと各種パイプとが組み上がったところ上から見た平面図である。
【図３】本発明の実施例に係わるもので、給水切替ユニットと風呂水ポンプと各種パイプとが組み上がったところを供給水切替装置側から見た斜視図である。
【図４】本発明の実施例に係わるもので、給水切替ユニットと風呂水ポンプと各種パイプとが組み上がったところを給水電磁弁側から見た斜視図である。
【図５】本発明の実施例に係わるもので、供給水切替装置のカバーが外された給水切替ユニットを供給水切替装置側から見た斜視図である。
【図６】本発明の実施例に係わるもので、供給水切替装置側から見た給水切替ユニットの分解斜視図である。
【図７】本発明の実施例に係わるもので、給水電磁弁側から見た給水切替ユニットの分解斜視図である。
【図８】本発明の実施例に係わるもので、給水切替ユニットの上から見た平面図である。
【図９】本発明の実施例に係わるもので、図８のＡ−Ａ断面図である。
【図１０】本発明の実施例に係わるもので、風呂水ポンプの縦断面図である。
【図１１】本発明の実施例に係わるもので、給水切替ユニット支持基盤を供給水切替装置に対応する支持基盤片側から見た斜視図である。
【図１２】本発明の実施例に係わるもので、給水切替ユニット支持基盤を給水電磁弁に対応する支持基盤片側から見た斜視図である。
【図１３】本発明の実施例に係わるもので、給水切替ユニット支持基盤の内部、裏表の両面を一緒に表した透視図である。
【図１４】本発明の実施例に係わるもので、第１水路室と、風呂水水路室と、水道水の給水電磁弁（給水バルブ）と、供給水切替装置の切替バルブと、風呂水ポンプと、Ｔ字形継手管との関係を略式的に示した図である。
【図１５】本発明の実施例に係わるもので、洗濯運転時の給水における給水切替ユニットと風呂水ポンプとの関連動作を水道水使用時について示した図である。
【図１６】本発明の実施例に係わるもので、洗濯運転時の給水における給水切替ユニットと風呂水ポンプとの関連動作を風呂水ポンプ使用時について示した図である。
【図１７】本発明の実施例に係わるもので、乾燥運転時の給水における給水切替ユニットと風呂水ポンプとの関連動作を水道水使用時について示した図である。
【図１８】本発明の実施例に係わるもので、乾燥運転時の給水における給水切替ユニットと風呂水ポンプとの関連動作を風呂水ポンプ使用時について示した図である。
【図１９】本発明の実施例に係わるもので、制御回路の全体を示したブロック図である。
【図２０】本発明の実施例に係わるもので、乾燥運転に際して作動する風呂水ポンプ、排水バルブ、循環ファン、第２水道水用給水電磁弁の動作を時間の経過上で示した図である。
【符号の説明】
【０１６８】
３…内槽、２…外槽、２９…循環ファン（送風手段）、４０…ヒータ（加熱手段）、２８…水冷除湿部材（除湿手段）、５００…風呂水ポンプ、５０３…ポンプランナー、５０４…ケーシング。
【図１】
2007313214.tif 000003
【図２】
2007313214.tif 000004
【図３】
2007313214.tif 000005
【図４】
2007313214.tif 000006
【図５】
2007313214.tif 000007
【図６】
2007313214.tif 000008
【図７】
2007313214.tif 000009
【図８】
2007313214.tif 000010
【図９】
2007313214.tif 000011
【図１０】
2007313214.tif 000012
【図１１】
2007313214.tif 000013
【図１２】
2007313214.tif 000014
【図１３】
2007313214.tif 000015
【図１４】
2007313214.tif 000016
【図１５】
2007313214.tif 000017
【図１６】
2007313214.tif 000018
【図１７】
2007313214.tif 000019
【図１８】
2007313214.tif 000020
【図１９】
2007313214.tif 000021
【図２０】
2007313214.tif 000022